(57)【要約】【課題】ユーザーが間違って、一方の筐体を他方の筐体に対して所定角度範囲外に回動させようとすることにより、連結部内の配線を断線すること及び連結部やその近傍を破損することを防止するため、ユーザーに回動不能な方向に回動させないようにした重ね型携帯端末装置を提供する。【解決手段】表示部１１を有する第１筐体３２と操作部１６を有する第２筐体３４と連結部３６とを有し、第１筐体は閉状態にて操作部を覆うよう第２筐体上に重ねて配置されると共に、操作部を有する面に垂直な軸線を有する連結部を中心に第２筐体に対して回動可能に連結され、表示部は閉状態及び開状態のいずれの状態でも露出させることが可能な重ね型携帯端末装置３０であって、第１筐体の回動位置を検出する位置検出部４６と、表示部に第１筐体の回動可能な方向を示す案内表示６０を出力させるよう制御する制御部４２とを有することとした。【選択図】      図４
2004328198.tif 000002
【特許請求の範囲】
【請求項１】
少なくとも表示部を有する第１筐体と、少なくとも操作部を有する第２筐体と、これら第１筐体及び第２筐体を相互に回動可能に連結する連結部とを有し、
前記第１筐体は閉状態にて前記操作部を覆うように前記第２筐体上に重ねて配置されると共に、前記操作部を有する面に垂直な軸線を有する前記連結部を中心に第２筐体に対して回動可能に連結され、
前記表示部の表示面は、閉状態及び閉状態から前記第１筐体が前記第２筐体に対しておよそ１８０°回動した開状態のいずれの状態でも外側に露出させることが可能な重ね型携帯端末装置であって、
前記第１筐体の前記第２筐体に対する回動位置を検出する位置検出部と、
該位置検出部からの信号に基づいて前記表示部に前記第１筐体の回動可能な方向を示す案内表示を出力させるように制御する制御部と
を有することを特徴とする重ね型携帯端末装置。
【請求項２】
前記位置検出部が、磁石と、磁気抵抗素子又はホールＩＣ素子により構成されることを特徴とする請求項１に記載の重ね型携帯端末装置。
【請求項３】
前記位置検出部は、前記第１筐体又は前記第２筐体のいずれか一方の前記連結部近傍に配置される磁石と、前記第１筐体又は前記第２筐体のいずれか他方の前記連結部近傍に配置される磁気抵抗素子又はホールＩＣ素子により構成され、
少なくとも前記閉状態及び／又は前記開状態が前記位置検出部により検出されたときに、前記制御部によって前記表示部に前記第１筐体の回動可能な方向を示す案内表示が出力されるようにしたことを特徴とする請求項１に記載の重ね型携帯端末装置。
【請求項４】
前記案内表示が矢印からなる図形であることを特徴とする請求項１ないし請求項３のいずれかに記載の重ね型携帯端末装置。
【発明の詳細な説明】
【０００１】
【発明の属する技術分野】
本発明は、携帯電話機やＰＤＡ（Ｐｅｒｓｏｎａｌ  Ｄｉｇｉｔａｌ  Ａｓｓｉｓｔａｎｔｓ）等の携帯端末装置に関し、詳しくは、互いに重ね合わせ可能に連結された複数の筐体から構成される重ね型携帯端末装置に関するものである。
【０００２】
【従来の技術】
従来は、２つの筐体を折り畳むことが可能な折り畳み型携帯端末装置として、図７に示すような折り畳み型携帯電話機２が一般的に知られている。この折り畳み型携帯電話機２は、一方の筐体４の内側面１０に出力情報を表示するＬＣＤ（液晶ディスプレイ）等の表示部１１が、その表示面１２を見ることができるようにして設けられ、その上側にはスピーカー１３が設けられている。そして、他方の筐体６の内側面１４には、操作部１６及びマイク１５が設けられている。
【０００３】
操作部１６には、表示面１２に表示される項目を選択することができるように、上下左右の方向に指示することができる十字キー１８、数字や文字を入力することができるテンキー２０、その他各種のキーを配置することができるようになっている。
【０００４】
このような折り畳み型携帯電話機２は、それが持つ各種機能を利用したときや、操作部１６により何等かの操作をしたとき、また着信があったとき等には、これに対応する出力情報等を表示面１２に表示するようになっている。
【０００５】
しかしながら、このような折り畳み型携帯電話機２においては、一方の筐体４と他方の筐体６が互いに最も接近して折り畳まれているときには、これらが互いに離れるよう開いてからでなければ表示面１２に表示される画面を見ることができず、折り畳んだ状態では表示面１２に情報を出力しても閲覧することができないという問題があった。
【０００６】
このような、表示面１２を閲覧するために折り畳み型携帯電話機２の筐体４と筐体６を開く手間がかかって煩わしいという問題を解決するために、開いた場合だけでなく、折り畳んだ状態又はこれに相当する状態にした場合であっても、表示面１２が外側に向くようにしたものがある。
【０００７】
このような携帯端末装置としては、例えば特許文献１、特許文献２、及び特許文献３に記載されているような重ね型携帯端末装置がある。これらの重ね型携帯端末装置は、連結される２つの筐体を開いた状態では、図７に示す折り畳み型携帯電話機２の姿勢と同様に、一方の筐体に設けられている表示面が外側を向いている。
【０００８】
しかしながら、このような特許文献１ないし３に記載された重ね型携帯端末装置は、前記折り畳み型携帯電話機２とは異なり、２つの筐体の連結部で、一方の筐体を１８０度捻りながら折り畳んで重ねることができる構造になっているので、表示面が外側に向くようにして２つの筐体を重ねることができる。
【０００９】
また、従来の他の重ね型携帯端末装置としては、特許文献４に記載されているものがある。この従来の重ね型携帯端末装置は、表示面が設けられている一方の筐体と、操作部が設けられている他方の筐体が、表示面と操作部を同じ方向に向けて重ねた状態で、これらの２つの筐体の表示面や操作部の面に垂直な軸を中心に回動可能に互いの筐体の端部が連結されている。
【００１０】
この重ね型携帯端末装置は、一方の筐体が他方の筐体に対し、軸を中心として１８０°回動する動作により開くことができ、また、このように開かなくとも表示面が外側に向いたままで２つの筐体を重ねた状態にしておくことができるので、ユーザーは２つの筐体をわざわざ開かなくとも表示面に表示される画面を常に見ることができるようになっている。
【００１１】
【特許文献１】特開平１１−２１５２１８号公報
【特許文献２】特開２００２−１４１９８４号公報
【特許文献３】特開２００２−１３５３８０号公報
【特許文献４】特開平７−２８８８６０号公報
【００１２】
【発明が解決しようとする課題】
ところで、特許文献１ないし４に記載された重ね型携帯端末装置の連結部は、２つの筐体を連結する連結部内に通された配線が捩じ切れることがないように、一方の筐体を他方の筐体に対して所定の角度範囲を超えて回動することができないような構造になっている。
【００１３】
しかしながら、特許文献１ないし４に記載された重ね型携帯端末装置は、いずれも２つの筐体が操作部を有する面に垂直な連結部の軸線を中心に回動する構造であることから、２つの筐体が重ね合わされた閉状態から一方の筐体を他方の筐体に対して１８０°回動させた開状態とする開動作の開始時、又は開状態から閉状態とする閉動作の開始時に、一方の筐体を他方の筐体に対してどちらの方向に回動させればよいのかが判らなくなり、回動可能な方向を誤るなどして、所定の角度範囲を超えて回動させようとした場合、連結部や連結部と各筐体との継ぎ目近傍に大きな応力を与え、連結部や筐体を破損させるおそれがあった。
【００１４】
そこで本発明は、ユーザーが間違って、一方の筐体を他方の筐体に対して所定角度範囲外に回動させようとすることにより、連結部内の配線を断線すること及び連結部やその近傍を破損することを防止するため、ユーザーに回動不能な方向に回動させないようにした重ね型携帯端末装置を提供することを課題とするものである。
【００１５】
【課題を解決するための手段】
上記課題を解決するために本発明は、
少なくとも表示部を有する第１筐体と、少なくとも操作部を有する第２筐体と、これら第１筐体及び第２筐体を相互に回動可能に連結する連結部とを有し、
前記第１筐体は閉状態にて前記操作部を覆うように前記第２筐体上に重ねて配置されると共に、前記操作部を有する面に垂直な軸線を有する前記連結部を中心に第２筐体に対して回動可能に連結され、
前記表示部の表示面は、閉状態及び閉状態から前記第１筐体が前記第２筐体に対しておよそ１８０°回動した開状態のいずれの状態でも外側に露出させることが可能な重ね型携帯端末装置であって、
前記第１筐体の前記第２筐体に対する回動位置を検出する位置検出部と、
該位置検出部からの信号に基づいて前記表示部に前記第１筐体の回動可能な方向を示す案内表示を出力させるように制御する制御部とを有することを特徴とするものである。
【００１６】
このような重ね型携帯端末装置によれば、第１筐体の回動可能な方向を示す案内表示を出力させるようにすることにより、ユーザーが間違って、第１筐体を第２筐体に対して所定角度範囲外に回動させようとして、連結部の内部の配線を断線すること、或いは連結部や、第１筐体及び第２筐体における連結部の近傍部分を破損することを防止することができる。
【００１７】
【発明の実施の形態】
以下、本発明に係る重ね型携帯端末装置の実施の形態について、図面に基づいて具体的に説明する。
【００１８】
図１ないし図６は、本発明の一実施の形態に係る重ね型携帯電話機３０（重ね型携帯端末装置に相当）について説明するために参照する図である。これらの図に示す重ね型携帯電話機３０は、前記従来の折り畳み型携帯電話機２と同様の部分には同じ符号を付して説明し、従来と同様の構成についての重複する説明は省略するものとする。
【００１９】
この重ね型携帯電話機３０は、図１及び図２に示すように、第１筐体３２と第２筐体３４で構成され、互いの端部が連結部３６を介して連結されている。この連結部３６は、第２筐体３４の操作部１６が配置される面３５に垂直な方向に沿う軸線を中心軸とする円筒状の第１のベース部材３７ａと、この第１のベース部材３７ａに回転可能に嵌入された第２のベース部材３７ｂとを有し、第１のベース部材３７ａが第２筐体３４に取付けられ、第２のベース部材３７ｂが第１筐体３２に取付けられている。そのため、第１筐体３２と第２筐体３４を軸線を中心に回動させることができるようになっている。
【００２０】
重ね型携帯電話機３０の第１筐体３２は、図１に示す矢印ａのように、第１筐体３２と第２筐体３４が互いに重ね合わされた閉じた状態から、連結部３６の軸線を中心にして第２筐体３４に対して回動させることができようになっている。そして、図３に示す状態を経て、第１筐体３２を第２筐体３４に対して１８０°の位置まで回動させることにより、図４に示すように、第２筐体３４に設けられた操作部１６が外側に見えるような、重ね型携帯電話機３０を開いた状態にすることができる。
【００２１】
なお、本発明では、第１筐体３２の第２筐体３４に対する回動位置に基づいて、図１及び図２に示すような状態を「重ねた状態」又は「閉状態」といい、図４に示すような状態を「開状態」ということとする。そして、図３に示すような状態を「中間状態」ということとする。
【００２２】
また、この連結部３６内には、第１筐体３２内の回路基板（不図示）と第２筐体３４内の回路基板５８（図６参照）とを電気的に接続するための配線等が通されるようになっており、両筐体３２，３４の回動に伴なって、配線が捩じ切れることがないように、第２のベース部材３７ｂは第１のベース部材３７ａに対して、およそ１８０°の範囲内でしか回動させることができないようになっている。すなわち、第１筐体３２は、第２筐体３４に対して、閉状態から一方向側におよそ１８０°回動した開状態となる範囲内でしか回動させることができないようになっている。
【００２３】
図５は、重ね型携帯電話機３０の回路を示すブロック図である。制御部４２は、表示部１１、スピーカー１３、マイクロホン１５、操作部１６、アンテナが接続された無線部４４、及び位置検出部４６等を制御するようになっている。ここで、スピーカー１３、マイクロホン１５、操作部１６、及び無線部４４の動作は、従来の一般的な携帯電話機と同様であるので、その説明は省略する。
【００２４】
位置検出部４６は、図２及び図６に示すように、連結部３６の近傍において、第１筐体３２に内蔵される１つの磁石５０、及び第２筐体３４に内蔵の制御基板５８上に配置される３つのホールＩＣ素子５２，５４，５６で構成される。ホールＩＣ素子とは、ホール効果を用いて磁気から電気への変換を行なうホール素子（Ｈａｌｌ  ｄｅｖｉｃｅ）を周辺回路と共にＩＣ（Ｉｎｔｅｇｒａｔｅｄ  Ｃｉｒｃｕｉｔ）化したものである。
【００２５】
第２筐体３４内の各ホールＩＣ素子５２，５４，５６は、第１筐体３２が回動して閉状態、中間状態又は開状態となったときに、それぞれ磁石５０に対向する位置となるように９０°ごとに配置される。
【００２６】
各ホールＩＣ素子５２，５４，５６は、磁石５０が対向する位置に移動してくると、これを検出して、制御部４２にその旨の信号を出力するようになっているので、第１筐体３２の第２筐体３４に対する回動位置、すなわち閉状態、中間状態及び開状態を検出することができる。ここで、図６に示されている磁石５０とそれぞれのホールＩＣ素子５２，５４，５６の位置関係は、携帯電話機３０が開状態であるときのものである。
【００２７】
次に、この携帯電話機３０の動作について説明する。図１に示すように、携帯電話機３０が閉状態であるときには、磁石５０はホールＩＣ素子５２に対向する位置にある（図６参照）。ホールＩＣ素子５２は、磁石５０を検出して、その旨の信号を制御部４２に出力する。制御部４２は、この信号に基づいて、携帯電話機３０が閉状態にあると判断する。この場合には、連結部３６を中心にして、第１筐体３２を反時計回り方向にしか回動することができない。
【００２８】
したがって、制御部４２は、図１に示すように、表示部１１のスピーカー１３側の端部に、反時計回り方向を示す矢印の案内表示６０を出力する。また、案内表示６０の一部として、文字により「ＯＰＥＮ」等の文字を表示させるようにしてもよい。
【００２９】
また、図３に示すように、携帯電話機３０が中間状態であるときには、磁石５０はホールＩＣ５４に対向する位置にある（図６参照）。制御部４２は、ホールＩＣ５４からの検出信号に基づいて、携帯電話機３０が中間状態にあると判断する。この場合には、第１筐体３２は時計回り方向又は反時計回り方向のいずれの方向にも回動することができる。
【００３０】
したがって、制御部４２は、表示部１１の画面表示を９０°回転させると共に、図３に示すように、表示部１１のスピーカー１３側の端部に、時計回り方向を示す矢印及び反時計回り方向を示す矢印の案内表示６２，６４を出力する。なお、時計回り方向の案内表示６２と反時計回り方向の案内表示６４は、交互に点滅させるようにしてもよい。
【００３１】
また、案内表示６２，６４の一部として、文字により「ＯＰＥＮ」又は「ＣＬＯＳＥ」等の文字を表示するときには、ユーザーが見やすい向きとなるようにするため、第２筐体３４の操作部１６のテンキー２０等と、文字が同じ向きとなるようにして表示する。
【００３２】
図４に示すように、携帯電話機３０が開状態であるときには、図６に示すように、磁石５０はホールＩＣ５６に対向する位置にある。制御部４２は、ホールＩＣ５６からの検出信号に基づいて、携帯電話機３０が開状態にあると判断する。この場合には、第１筐体３２を時計回り方向にしか回動することができない。
【００３３】
したがって、制御部４２は、表示部１１の画面表示を１８０°回転させると共に、図４に示すように、表示部１１の連結部３６側の端部に、時計回り方向を示す矢印の案内表示６６を出力する。また、案内表示６６の一部として、文字により「ＣＬＯＳＥ」等の文字を表示するときには、ユーザーが見やすい向きとなるようにするため、第２筐体３４の操作部１６のテンキー２０等と、文字が同じ向きとなるようにして表示することはいうまでもない。
【００３４】
このような重ね型携帯電話機３０によれば、第１筐体の回動可能な方向を示す案内表示を出力させるようにすることにより、ユーザーが間違って、第１筐体３２を第２筐体３４に対して所定角度範囲外に回動させようとして、連結部３６の内部の配線を断線すること、或いは連結部３６や、第１筐体３２及び第２筐体３４における連結部３６の近傍部分を破損することを防止することができる。
【００３５】
また、子供や老人等のように、携帯電話機３０の扱いに不慣れな人はもちろん、扱いに慣れている人も、表示部１１に出力される回動方向の案内表示６０，６２，６４，６６を確認してから第１筐体を回動させることができるので、安心感が得られ、かつ簡易に扱える。
【００３６】
なお、本実施の形態においては、位置検出部４６に、磁石５０を検出するホールＩＣ素子５２，５４，５６を用いたが、これらの代わりに磁気抵抗素子を用いるようにしてもよい。また、これら以外のものであっても、第１筐体３２と第２筐体３４の開閉状態を検出することが可能なものであれば構わない。
【００３７】
また、案内表示６０，６２，６４，６６を表示する位置については、特に限定するものではなく、表示部１１中のいずれの位置であってもよい。
【００３８】
また、タイマーを設けることにより、第１筐体３２を回動させた動作の後、一定時間内だけ、表示部１１に次の動作の案内表示６０，６２，６４，６６が表示されるようになっていてもよく、また、一定時間以上の間に何等の操作もされない場合に、表示部１１に案内表示６０，６２，６４，６６が表示されるようになっていてもよい。
【００３９】
また、本実施の形態においては２つの筐体３２，３４により構成されている重ね型携帯電話機３０について示したが、本発明は、重ね型携帯電話機が３つ以上の筐体により構成されている場合であっても、同様の技術的思想に基づいて適用することができることはいうまでもない。
【００４０】
さらに、上記実施の形態においては携帯電話機について説明したが、本発明はＰＤＡ等の他の種類の携帯端末装置にも、同様に適用することができる。
【００４１】
また、本発明は、表示部を有する筐体と操作部を有する筐体がボールジョイント等を介して連結されることにより、前記特許文献１、特許文献２、及び特許文献３に記載されているような、折り畳み動作と共に、時計回り方向及び反時計回り方向の両方に捻り動作が可能となるように構成されて、常に表示面が外側を向くようにすることができる重ね型携帯端末装置にも適用することができる。
【００４２】
【発明の効果】
以上に説明したように、本発明の携帯端末装置によれば、第１筐体の回動可能な方向を示す案内表示を出力させるようにすることにより、ユーザーが間違って、第１筐体を第２筐体に対して所定角度範囲外に回動させようとして、連結部の内部の配線を断線すること、或いは連結部や、第１筐体及び第２筐体における連結部の近傍部分を破損することを防止することができる。
【００４３】
また、子供や老人等のように、携帯端末装置の扱いに不慣れな人はもちろん、扱いに慣れている人も、表示部に出力される回動方向の案内表示を確認してから第１筐体を回動させることができるので、安心感が得られ、かつ簡易に扱える。
【図面の簡単な説明】
【図１】本発明の一実施の形態に係る重ね型携帯電話機３０の閉状態を示す正面図である。
【図２】図１における重ね型携帯電話機３０の左側面図である。
【図３】図１における重ね型携帯電話機３０の中間状態を示す正面図である。
【図４】図１における重ね型携帯電話機３０の開状態を示す正面図である。
【図５】図１における重ね型携帯電話機３０の回路を示すブロック図である。
【図６】図５における位置検出部を構成する磁石５０とホールＩＣ素子５２，５４，５６の配置関係を示す第１，第２筐体３２，３４の透視図である。
【図７】従来の折り畳み型携帯電話機２を示す斜視図である。
【符号の説明】
２  折り畳み型携帯電話機
４，６  筐体
１０  内側面
１１  表示部
１２  表示面
１３  スピーカー
１４  内側面
１５  マイクロホン
１６  操作部
１８  十字キー
２０  テンキー
３０  重ね型携帯電話機
３２  第１筐体
３４  第２筐体
３５  面
３６  連結部
３７ａ，３７ｂ  ベース部材
４２  制御部
４４  無線部
４６  位置検出部
５０  磁石
５２，５４，５６  ホールＩＣ素子
５８  制御基板
６０，６２，６４，６６  案内表示
【図１】
2004328198.tif 000003
【図２】
2004328198.tif 000004
【図３】
2004328198.tif 000005
【図４】
2004328198.tif 000006
【図５】
2004328198.tif 000007
【図６】
2004328198.tif 000008
【図７】
2004328198.tif 000009